(57)【特許請求の範囲】
【請求項１】
電気光学物質を介して対向する一対の基板と、前記電気光学物質を駆動する駆動部を備えた電気光学装置であって、
前記駆動部は、
複数の走査線と、
これら走査線に略直交する複数のデータ線と、
前記走査線と略平行かつ交互に設けられた複数のコモン線と、
前記走査線および前記データ線の交差に対応して設けられたスイッチング素子と、
前記スイッチング素子に対応して設けられた画素電極と、
前記画素電極に対向する共通電極と、
前記画素電極に一端が接続され他端が前記コモン線に接続された蓄積容量と、
第１電位またはこの第１電位よりも高い第２電位の駆動信号を前記コモン線を介して前記蓄積容量の他端に供給するコモン線駆動回路と、
前記共通電極の電位が前記第１電位である場合には、前記第１電位よりも高い電位で前記データ線に画像信号を供給し、前記共通電極の電位が前記第２電位である場合には、前記第２電位よりも低い電位で前記データ線に画像信号を供給するデータ線駆動回路と、
前記走査線に前記スイッチング素子をオン、オフする制御信号を供給する走査線駆動回路と、
前記データ線および前記コモン線を断続して、前記前記データ線および前記コモン線の電位を略同電位にする等化回路と、を有し、
前記コモン線駆動回路は、前記第１電位または前記第２電位の駆動信号を供給する駆動信号供給回路と、この駆動信号供給回路および前記コモン線を断続する駆動信号供給スイッチと、を備え、
前記画素電極に前記第１電位よりも高い電位の画像信号を供給する場合、
前記駆動信号供給回路は、前記第１電位を供給するとともに、前記駆動信号供給スイッチは、前記駆動信号供給回路および前記コモン線を接続して、前記蓄積容量の他端に前記第１電位を供給し、
前記走査線駆動回路は、前記走査線に前記スイッチング素子をオンする制御信号を供給し、
前記データ線駆動回路は、前記データ線に前記第１電位よりも高い電位の画像信号を供給し、前記スイッチング素子を介して、前記画素電極に前記第１電位よりも高い電位の画像信号を書き込み、
前記走査線駆動回路は、前記走査線に前記スイッチング素子をオフする制御信号を供給し、
前記駆動信号供給スイッチは、前記駆動信号供給回路および前記コモン線を切断し、その後、
前記等化回路は、前記データ線および前記コモン線を断続して、前記データ線および前記コモン線の電位を略同電位にし、その後、
前記駆動信号供給スイッチは、前記駆動信号供給回路および前記コモン線を接続し、
前記コモン線駆動回路は、前記第２電位の駆動信号を供給する、
他方、前記画素電極に前記第２電位よりも低い電位の画像信号を供給する場合、
前記駆動信号供給回路は、前記第２電位を供給するとともに、前記駆動信号供給スイッチは、前記駆動信号供給回路および前記コモン線を接続して、前記蓄積容量の他端に前記第２電位を供給し、
前記走査線駆動回路は、前記走査線に前記スイッチング素子をオンする制御信号を供給し、
前記データ線駆動回路は、前記データ線に前記第２電位よりも低い電位の画像信号を供給し、前記スイッチング素子を介して、前記画素電極に前記第２電位よりも低い電位の画像信号を書き込み、
前記走査線駆動回路は、前記走査線に前記スイッチング素子をオフする制御信号を供給し、
前記駆動信号供給スイッチは、前記駆動信号供給回路および前記コモン線を切断し、その後、
前記等化回路は、前記データ線および前記コモン線を断続して、前記データ線および前記コモン線の電位を略同電位にし、その後、
前記駆動信号供給スイッチは、前記駆動信号供給回路および前記コモン線を接続し、
前記コモン線駆動回路は、前記第１電位の駆動信号を供給する、ことを特徴とする電気光学装置。
【請求項２】
前記データ線駆動回路は、始動信号が入力されると、この始動信号をクロックに同期して転送することで順次サンプリング信号を出力するシフトレジスタを有することを特徴とする請求項１に記載の電気光学装置。
【請求項３】
前記データ線駆動回路は、制御信号およびこの制御信号を反転させた反転制御信号が入力されると、前記制御信号および前記反転制御信号に応じてオン、オフするトランスファゲートを複数含むデマルチプレクサ回路を有し、前記複数のトランスファゲートで選択的にアナログ画像信号を分配することを特徴とする請求項１に記載の電気光学装置。
【請求項４】
前記データ線駆動回路は、デジタル映像信号をアナログ画像信号に変換するＤ／Ａ変換回路を有し、供給された前記デジタル映像信号を前記アナログ画像信号として前記データ線に供給するデジタル線順次駆動であることを特徴とする請求項１に記載の電気光学装置。
【請求項５】
請求項１から４のいずれかに記載の電気光学装置を備えたことを特徴とする電子機器。
【請求項６】
電気光学物質を介して対向する一対の基板と、前記電気光学物質を駆動する駆動部を備え、
前記駆動部は、
複数の走査線と、
これら走査線に略直交する複数のデータ線と、
前記走査線と略平行かつ交互に設けられた複数のコモン線と、
前記走査線および前記データ線の交差に対応して設けられたスイッチング素子と、
前記スイッチング素子に対応して設けられた画素電極と、
前記画素電極に対向する共通電極と、
前記画素電極に一端が接続され他端が前記コモン線に接続された蓄積容量と、
第１電位またはこの第１電位よりも高い第２電位の駆動信号を前記コモン線を介して前記蓄積容量の他端に供給するコモン線駆動回路と、
前記共通電極の電位が前記第１電位である場合には、前記第１電位よりも高い電位で前記データ線に画像信号を供給し、前記共通電極の電位が前記第２電位である場合には、前記第２電位よりも低い電位で前記データ線に画像信号を供給するデータ線駆動回路と、
前記走査線に前記スイッチング素子をオン、オフする制御信号を供給する走査線駆動回路と、
前記データ線および前記コモン線を断続して、前記前記データ線および前記コモン線の電位を略同電位にする等化回路と、を有し、
前記コモン線駆動回路は、前記第１電位または前記第２電位の駆動信号を供給する駆動信号供給回路と、この駆動信号供給回路および前記コモン線を断続する駆動信号供給スイッチと、を備えた電気光学装置の駆動方法において、
前記画素電極に前記第１電位よりも高い電位の画像信号を供給する場合、
前記駆動信号供給回路により、前記第１電位を供給させるとともに、前記駆動信号供給スイッチにより、前記駆動信号供給回路および前記コモン線を接続させて、前記蓄積容量の他端に前記第１電位を供給し、
前記走査線駆動回路により、前記走査線に前記スイッチング素子をオンする制御信号を供給させ、
前記データ線駆動回路により、前記データ線に前記第１電位よりも高い電位の画像信号を供給させて、前記スイッチング素子を介して、前記画素電極に前記第１電位よりも高い電位の画像信号を書き込み、
前記走査線駆動回路により、前記走査線に前記スイッチング素子をオフする制御信号を供給させ、
前記駆動信号供給スイッチにより、前記駆動信号供給回路および前記コモン線を切断させて、その後、
前記等化回路により、前記データ線および前記コモン線を断続させて、前記データ線および前記コモン線の電位を略同電位にし、その後、
前記駆動信号供給スイッチにより、前記駆動信号供給回路および前記コモン線を接続させ、
前記コモン線駆動回路により、前記第２電位の駆動信号を供給させる、
他方、前記画素電極に前記第２電位よりも低い電位の画像信号を供給する場合、
前記駆動信号供給回路により、前記第２電位を供給させるとともに、前記駆動信号供給スイッチにより、前記駆動信号供給回路および前記コモン線を接続させて、前記蓄積容量の他端に前記第２電位を供給し、
前記走査線駆動回路により、前記走査線に前記スイッチング素子をオンする制御信号を供給させ、
前記データ線駆動回路により、前記データ線に前記第２電位よりも低い電位の画像信号を供給させて、前記スイッチング素子を介して、前記画素電極に前記第２電位よりも低い電位の画像信号を書き込み、
前記走査線駆動回路により、前記走査線に前記スイッチング素子をオフする制御信号を供給させ、
前記駆動信号供給スイッチにより、前記駆動信号供給回路および前記コモン線を切断させて、その後、
前記等化回路により、前記データ線および前記コモン線を断続させて、前記データ線および前記コモン線の電位を略同電位にし、その後、
前記駆動信号供給スイッチにより、前記駆動信号供給回路および前記コモン線を接続させ、
前記コモン線駆動回路により、前記第１電位の駆動信号を供給させる、ことを特徴とする電気光学装置の駆動方法。
【発明の詳細な説明】
【技術分野】
【０００１】
本発明は、電気光学装置、電気光学装置の駆動方法、および、電子機器に関する。
【背景技術】
【０００２】
従来より、画像を液晶表示する液晶表示装置などの電気光学装置が知られている。この電気光学装置は、例えば、以下のような構成である。
図１１は、本発明の従来例に係る電気光学装置１の平面図である。
電気光学装置１は、液晶パネルＡＡと、走査線駆動回路１０１と、データ線駆動回路１０２と、コモン線駆動回路１０３と、を備える。
【０００３】
液晶パネルＡＡは、スイッチング素子としての薄膜トランジスタ（以降、ＴＦＴと呼ぶ）１５１がマトリクス状に配置された素子基板１００と、この素子基板１００に対向配置された対向基板と、素子基板１００および対向基板の間に設けられた液晶と、から構成されている。
上述の走査線駆動回路１０１およびデータ線駆動回路１０２は、液晶パネルＡＡの素子基板１００上に形成される。
【０００４】
素子基板１００には、所定間隔おきに設けられた複数の走査線１１０と、これら走査線１１０に略直交し所定間隔おきに設けられた複数のデータ線１２０と、複数の走査線１１０と略平行かつ交互に設けられた複数のコモン線１３０と、が形成される。
【０００５】
各走査線１１０と各データ線１２０との交差部分には、画素回路１５０が設けられている。この画素回路１５０は、上述のＴＦＴ１５１のほか、画素電極１５５、およびこの画素電極１５５に一端が接続され他端がコモン線１３０に接続された蓄積容量１５３で構成される。
ＴＦＴ１５１のゲートには、走査線１１０が接続され、ＴＦＴ１５１のソースには、データ線１２０が接続され、ＴＦＴ１５１のドレインには、画素電極１５５および蓄積容量１５３が接続されている。したがって、このＴＦＴ１５１は、走査線１１０からの制御信号に応じて、データ線１２０を画素電極１５５および蓄積容量１５３に断続する。
【０００６】
対向基板は、画素電極１５５に対向する共通電極１５６を有する。この共通電極１５６は、素子基板１００の四隅に設けられた対向導通部１０５およびこれら対向導通部１０５同士を接続するコモン配線１０６を介して、コモン線１３０と接続される。
【０００７】
コモン線駆動回路１０３は、第１電位またはこの第１電位よりも高い第２電位の駆動信号をコモン線１３０に供給する。
データ線駆動回路１０２は、共通電極１５６の電位が第１電位である場合には、第１電位よりも高い電位でデータ線１２０に画像信号を供給し、共通電極１５６の電位が第２電位である場合には、第２電位よりも低い電位でデータ線１２０に画像信号を供給する。
走査線駆動回路１０１は、走査線１１０にＴＦＴ１５１をオン、オフする制御信号を供給する。
【０００８】
以上の電気光学装置１は、コモン線駆動回路１０３により共通電極１５６の電位を第１電位およびこの第１電位よりも高い第２電位の間で反転させる（以降、コモン反転駆動と呼ぶ）。共通電極１５６の電位が第１電位である場合には、データ線駆動回路１０２により第１電位よりも高い電位でデータ線１２０に画像信号を供給し（以降、正極性書込と呼ぶ）、共通電極１５６の電位が第２電位である場合には、第２電位よりも低い電位でデータ線１２０に画像信号を供給する（以降、負極性書込と呼ぶ）。
【０００９】
図１２は、従来例に係る電気光学装置１の正極性書込時におけるタイミングチャートである。図１３は、従来例に係る電気光学装置１の負極性書込時におけるタイミングチャートである。図１２および図１３は、同じ階調で書き込む場合を示す。また、図１２、１３中、ＶＣＯＭは共通電極１５６の電位であり、ＳＯＵＲＣＥはデータ線１２０の電位であり、ＧＡＴＥは走査線１１０の電位であり、ＰＩＸは画素電極１５５の電位である。
【００１０】
正極性書込では、図１２に示すように、まず、コモン線駆動回路１０３により共通電極１５６の電位ＶＣＯＭを第１電位ＶＣＬにするとともに、走査線駆動回路１０１から走査線１１０の電位ＧＡＴＥが電位ＶＧＨとなる制御信号を供給して、ＴＦＴ１５１をオン状態にする。
【００１１】
次に、時刻ｔ１において、データ線駆動回路１０２により画像信号を供給して、データ線１２０の電位ＳＯＵＲＣＥを電位ＶＰ１から電位ＶＰ５に持ち上げ、ＴＦＴ１５１を介して、画素電極１５５および蓄積容量１５３に書き込む。
【００１２】
次に、時刻ｔ２において、走査線駆動回路１０１によりＴＦＴ１５１をオフ状態にする。これにより、共通電極１５６の第１電位ＶＣＬと画素電極１５５に書き込んだ電位ＶＰ５との電位差が液晶に印加されて、蓄積容量１５３により保持される。
【００１３】
次に、時刻ｔ３において、コモン線駆動回路１０３により共通電極１５６の電位ＶＣＯＭを第１電位ＶＣＬから第２電位ＶＣＨまで持ち上げる。すると、画素電極１５５の電位ＰＩＸは、共通電極１５６の電位ＶＣＯＭとの電位差はそのままで、共通電極１５６とともに電位ＶＰ２に持ち上がろうとする。このとき、データ線１２０は、ＴＦＴ１５１によって画素電極１５５と切断されているが、コモン線１３０と容量結合を生じるため、データ線１２０の電位ＳＯＵＲＣＥは、画素電極１５５の電位ＰＩＸと同じ電位ＶＰ２まで持ち上がろうとする。
【００１４】
次に、負極性書込では、図１３に示すように、まず、コモン線駆動回路１０３により共通電極１５６の電位ＶＣＯＭを第２電位ＶＣＨにするとともに、走査線駆動回路１０１から走査線１１０の電位ＧＡＴＥが電位ＶＧＨとなる制御信号を供給して、ＴＦＴ１５１をオン状態にする。
【００１５】
次に、時刻ｔ５において、データ線駆動回路１０２により画像信号を供給して、データ線１２０の電位ＳＯＵＲＣＥを電位ＶＰ２から電位ＶＰ６に持ち下げ、ＴＦＴ１５１を介して、画素電極１５５および蓄積容量１５３に書き込む。
【００１６】
次に、時刻ｔ６において、走査線駆動回路１０１によりＴＦＴ１５１をオフ状態にする。これにより、共通電極１５６の第２電位ＶＣＨと画素電極１５５に書き込んだ電位ＶＰ６との電位差が液晶に印加されて、蓄積容量１５３により保持される。
【００１７】
次に、時刻ｔ７において、コモン線駆動回路１０３により共通電極１５６の電位ＶＣＯＭを第２電位ＶＣＨから第１電位ＶＣＬまで持ち下げる。すると、画素電極１５５の電位ＰＩＸは、共通電極１５６の電位ＶＣＯＭとの電位差はそのままで、共通電極１５６とともに電位ＶＰ１に持ち下がろうとする。このとき、データ線１２０は、ＴＦＴ１５１によって画素電極１５５と切断されているが、コモン線１３０と容量結合を生じるため、データ線１２０の電位ＳＯＵＲＣＥは、画素電極１５５の電位ＰＩＸと同じ電位ＶＰ１まで持ち下がろうとする。
【００１８】
このような電気光学装置１によれば、液晶パネルＡＡの液晶画面の焼付けを防止できるという効果がある。
【００１９】
ところが、上述した従来の電気光学装置１では、データ線１２０の電位ＳＯＵＲＣＥを電位ＶＰ１から電位ＶＰ５に持ち上げる際、および、データ線１２０の電位ＳＯＵＲＣＥを電位ＶＰ２から電位ＶＰ６に持ち下げる際に、電力を消費するので、消費電力が大きくなっていた。また、画像信号を画素電極１５５に書き込む時間も長くなっていた。
【００２０】
さらに、正極性書込を行う際、データ線１２０とコモン線１３０とで容量結合を生じるため、共通電極１５６の電位ＶＣＯＭが第１電位ＶＣＬから第２電位ＶＣＨまで持ち上がると、データ線１２０の電位ＳＯＵＲＣＥが画素電極１５５の電位ＰＩＸと同じ電位ＶＰ２まで持ち上がる。また、負極性書込を行う際、データ線１２０とコモン線１３０とで容量結合を生じるため、共通電極１５６の電位ＶＣＯＭが第２電位ＶＣＨから第１電位ＶＣＬまで持ち下がると、データ線１２０の電位ＳＯＵＲＣＥが画素電極１５５の電位ＰＩＸと同じ電位ＶＰ１まで持ち下がる。したがって、データ線駆動回路１０２に過大な電圧がかかってしまい、データ線駆動回路１０２が損傷するおそれがあった。
【００２１】
以上の問題に関して、大きな容量を有するプリチャージ回路を備えた電気光学装置が提案されている（例えば、特許文献１参照）。また、データ線に駆動電圧を供給するプリチャージ回路を備えた電気光学装置が提案されている（例えば、特許文献２参照）。
【００２２】
特許文献１に示されたプリチャージ回路を備えた電気光学装置によれば、正極性書込において共通電極の電位を持ち上げる際に、プリチャージ回路の大きな容量とデータ線との間で電荷を移動させることで、データ線の電位が画素電極と同電位まで持ち上がるのを防止する。また、負極性書込において共通電極の電位を持ち下げる際に、プリチャージ回路の大きな容量とデータ線との間で電荷を移動させることで、データ線の電位が画素電極と同電位まで持ち下がるのを防止する。
したがって、データ線に駆動電圧を供給せずに、データ線の電位が持ち上がったり持ち下がったりするのを抑制できるため、消費電力を低減できる。また、データ線駆動回路が損傷するのを防止できる。
【００２３】
また、特許文献２に示されたプリチャージ回路を備えた電気光学装置によれば、正極性書込において共通電極の電位を持ち上げる前に、プリチャージ回路から駆動電圧を供給してデータ線の電位を共通電極と同電位まで持ち上げておく。また、負極性書込において共通電極の電位を持ち下げる前に、プリチャージ回路から駆動電圧を供給してデータ線の電位を共通電極と同電位まで持ち下げておく。
したがって、駆動電圧を供給することで、画像信号を書き込む前後の電位差を小さくできるため、画像信号を画素電極に書き込む時間を短縮できる。
【特許文献１】特開２００４−３５４７５８号公報
【特許文献２】特開２００４−１９１５３６号公報
【発明の開示】
【発明が解決しようとする課題】
【００２４】
ところで、近年、電気光学装置を搭載した携帯電話等の携帯機器の普及が著しいが、このような電気光学装置では、高機能化、高性能化に伴う消費電力の増加が問題となっている。このため、消費電力を低減できる電気光学装置が要請されている。しかしながら、上述の特許文献１に示された電気光学装置では、このような要請に十分応えているとはいえない。また、特許文献２に示された電気光学装置では、データ線書き込みにおける消費電力を抑えられるものの、プリチャージ回路で電力を消費するため、総合的には消費電力を低減するのは困難であった。
【００２５】
本発明は、上述した事情に鑑みてなされたもので、消費電力を低減できる電気光学装置、電気光学装置の駆動方法、および、電子機器を提供することを目的とする。
【課題を解決するための手段】
【００２６】
上記の課題を解決するため、本発明は以下のものを提供する。
【００２７】
本発明の電気光学装置は、複数の走査線、これら走査線に略直交する複数のデータ線、前記走査線と略平行かつ交互に設けられた複数のコモン線、ならびに、前記走査線および前記データ線の交差に対応して設けられた複数の画素回路を有する第１の基板と、この第１の基板に対向して設けられた第２の基板と、前記第１の基板および前記第２の基板の間に設けられた電気光学物質と、を備え、前記画素回路は、画素電極と、この画素電極に一端が接続され他端が前記コモン線に接続された蓄積容量と、前記走査線からの制御信号に応じて、前記データ線を前記画素電極および前記蓄積容量に断続するスイッチング素子と、を有し、前記第２の基板は、前記コモン線に接続された共通電極を有し、第１電位またはこの第１電位よりも高い第２電位の駆動信号を前記コモン線に供給するコモン線駆動回路と、前記共通電極の電位が前記第１電位である場合には、前記第１電位よりも高い電位で前記データ線に画像信号を供給し、前記共通電極の電位が前記第２電位である場合には、前記第２電位よりも低い電位で前記データ線に画像信号を供給するデータ線駆動回路と、前記走査線に前記スイッチング素子をオン、オフする制御信号を供給する走査線駆動回路と、を有する電気光学装置であって、前記コモン線駆動回路は、前記第１電位または前記第２電位の駆動信号を供給する駆動信号供給回路と、この駆動信号供給回路および前記コモン線を断続する駆動信号供給スイッチと、を有し、前記データ線および前記コモン線を断続して、前記前記データ線および前記コモン線を等化する等化回路をさらに備えることを特徴とする。
【００２８】
この発明によれば、以下の手順で正極性書込を行う。
まず、コモン線駆動回路により共通電極を第１電位にするとともに、走査線駆動回路から走査線に制御信号を供給して、スイッチング素子をオン状態にする。次に、データ線駆動回路からデータ線に画像信号を供給して、スイッチング素子を介して、画素電極および蓄積容量に書き込む。続いて、走査線駆動回路によりスイッチング素子をオフ状態にする。これにより、共通電極の第１電位と画素電極に書き込んだ電位との電位差が液晶に印加されて、蓄積容量により保持される。
次に、コモン線駆動回路により共通電極を第１電位から第２電位まで持ち上げる。すると、画素電極の電位は、共通電極との電位差はそのままで、共通電極とともに持ち上がる。このとき、データ線は、スイッチング素子によって画素電極と切断されているが、コモン線と容量結合を生じるため、データ線の電位は、画素電極と同電位まで持ち上がろうとする。
そこで、コモン線駆動回路を駆動信号供給回路と駆動信号供給スイッチとを含んで構成し、駆動信号供給スイッチを一時的にオフ状態にするとともに等化回路によりデータ線とコモン線とを接続する。すると、駆動信号供給回路からの駆動電圧の供給なしに、データ線と共通電極との間でコモン線を介して電荷の移動が生じる。よって、データ線は、画素電極ではなく共通電極と略同電位になる。
【００２９】
また、以下の手順で負極性書込を行う。
まず、コモン線駆動回路により共通電極を第２電位にするとともに、走査線駆動回路から走査線に制御信号を供給して、スイッチング素子をオン状態にする。次に、データ線駆動回路からデータ線に画像信号を供給して、スイッチング素子を介して、画素電極および蓄積容量に書き込む。続いて、走査線駆動回路によりスイッチング素子をオフ状態にする。これにより、共通電極の第２電位と画素電極に書き込んだ電位との電位差が液晶に印加されて、蓄積容量により保持される。
次に、コモン線駆動回路により共通電極を第２電位から第１電位まで持ち下げる。すると、画素電極の電位は、共通電極との電位差はそのままで、共通電極とともに持ち下がる。このとき、データ線は、スイッチング素子によって画素電極と切断されているが、コモン線と容量結合を生じるため、データ線の電位は、画素電極と同電位まで持ち下がろうとする。
そこで、コモン線駆動回路を駆動信号供給回路と駆動信号供給スイッチとを含んで構成し、駆動信号供給スイッチを一時的にオフ状態にするとともにイコライザ機能回路によりデータ線とコモン線とを接続する。すると、駆動信号供給回路からの駆動電圧の供給なしに、データ線と共通電極との間でコモン線を介して電荷の移動が生じる。よって、データ線は、画素電極ではなく共通電極と略同電位になる。
【００３０】
上述のように、駆動信号供給スイッチを一時的にオフ状態にした際に、駆動信号供給回路からの駆動電圧の供給なしに、データ線と共通電極との間で電荷の移動が生じ、この電荷を利用してデータ線や共通電極の電位を変化させることができるから、消費電力を低減できる。
しかも、データ線は、次の画像信号の書き込みが有利な方向に電位が変化し、共通電極も、次の反転動作に有利な方向に電位が変化する。よって、画素電極への画像信号の書き込み時間や共通電極の反転にかかる時間を短縮できる。
また、データ線は、画素電極ではなく共通電極と略同電位になるので、正極性書込を行った場合には、画素電極ほど高い電位まで持ち上がらない。一方、負極性書込を行った場合には、画素電極ほど低い電位まで持ち下がらない。したがって、データ線駆動回路の耐圧能力を超えた電圧が作用するのを防止できる。
【００３１】
また、上述の電気光学装置では、前記データ線駆動回路は、始動信号が入力されると、この始動信号をクロックに同期して転送することで順次サンプリング信号を出力するシフトレジスタを有することが好ましい。
【００３２】
この発明によれば、シフトレジスタは、始動信号が入力されると、この始動信号をクロックに同期して転送することで順次サンプリング信号を出力する。このサンプリング信号に応じて、複数のデータ線のうち１本ずつに、順次画像信号が供給される。
【００３３】
シフトレジスタによる点順次駆動では、データ線駆動回路が簡易な構成で足りるため、容易に製造できるとともに、回路規模を抑制できる。
また、従来の点順次駆動を行う電気光学装置では、画素密度が増加するにしたがって、画素電極に画像信号を書き込む時間を確保することが困難であった。ところが、上述のイコライザ機能回路を備えた点順次駆動を行う電気光学装置では、画素密度が増加しても、データ線は、次の画像信号の書き込みが有利な方向に電位が変化するから、画素電極に画像信号を書き込む時間を確保できる。
【００３４】
また、上述の電気光学装置では、前記データ線駆動回路は、制御信号およびこの制御信号を反転させた反転制御信号が入力されると、前記制御信号および前記反転制御信号に応じてオン、オフするトランスファゲートを複数含むデマルチプレクサ回路を有し、前記複数のトランスファゲートで選択的にアナログ画像信号を分配することが好ましい。
【００３５】
この発明によれば、デマルチプレクサ回路の入力端子にトランスファゲートの一方の端子を接続し、出力端子にトランスファゲートの他方の端子をそれぞれ接続する。そして、デマルチプレクサ回路の入力端子に、例えばＲ（赤）、Ｇ（緑）、Ｂ（青）といった複数の画像信号が混合したアナログ画像信号を供給するとともに、このアナログ画像信号の供給に同期して、各制御信号を、順次、アクティブにする。
すると、トランスファゲートが順次高インピーダンス状態からオン状態となり、各データ線が順次選択される。これにより、アナログ画像信号の中から、Ｒ（赤）、Ｇ（緑）、Ｂ（青）の画像信号のみが出力端子から順次出力され、対応するデータ線に供給される。
【００３６】
このようなデマルチプレクサ回路を有することにより、複数の画像信号を混合して供給できるため、伝送経路の数を抑えることができ、回路規模を抑制できるとともに、消費電力を低減できる。
【００３７】
また、上述の電気光学装置では、前記データ線駆動回路は、デジタル映像信号をアナログ画像信号に変換するＤ／Ａ変換回路を有し、供給された前記デジタル映像信号を前記アナログ画像信号として前記データ線に供給するデジタル線順次駆動であることが好ましい。
【００３８】
この発明によれば、例えばシフトレジスタからのサンプリング信号に応じて、デジタル映像信号がアナログ画像信号に変換される。そして、各データ線に順次アナログ画像信号が供給されることで、デジタル線順次駆動が行われる。
【００３９】
このように、デジタル線順次駆動では、データ線駆動回路にデジタル映像信号を供給できる。このため、データ線駆動回路にアナログ画像信号を供給する場合と比べて、伝送経路でのノイズの耐性を高めることができる。
【発明を実施するための最良の形態】
【００４０】
以下、本発明の実施形態を図面に基づいて説明する。なお、以下の実施形態の説明にあたって、同一構成要件については同一符号を付し、その説明を省略もしくは簡略化する。
【００４１】
＜１．第１実施形態＞
図１は、本発明の第１実施形態に係る電気光学装置１Ａの平面図である。電気光学装置１Ａは、イコライザ機能回路２０１を有している点と、コモン線駆動回路１０３Ａの構成とが、図１１の電気光学装置１と異なる。
【００４２】
イコライザ機能回路２０１は、制御信号ＣＰに同期して、データ線１２０およびコモン線１３０を断続する。具体的には、本実施形態では、イコライザ機能回路２０１は、制御信号ＣＰが「Ｈ」レベルの場合、データ線１２０およびコモン線１３０を接続し、制御信号ＣＰが「Ｌ」レベルの場合、データ線１２０およびコモン線１３０を切断する。
【００４３】
コモン線駆動回路１０３Ａは、第１電位またはこの第１電位よりも高い第２電位の駆動信号を供給する駆動信号供給回路２１と、この駆動信号供給回路２１およびコモン線１３０を断続する駆動信号供給スイッチ２２と、を備える。
【００４４】
駆動信号供給回路２１は、第１電位または第２電位を、所定周期で交互に出力する電源ＩＣ２１１を備える。
【００４５】
駆動信号供給スイッチ２２は、制御信号ＣＣを生成する駆動ＩＣ２２１と、この駆動ＩＣ２２１からの制御信号ＣＣに応じてオン、オフするスイッチ機構２２２と、を備える。具体的には、本実施形態では、スイッチ機構２２２は、制御信号ＣＣが「Ｈ」レベルの場合、駆動信号供給回路２１およびコモン線１３０を切断し、制御信号ＣＣが「Ｌ」レベルの場合、駆動信号供給回路２１およびコモン線１３０を接続する。
【００４６】
上述のコモン線駆動回路１０３Ａは、駆動ＩＣ２２１が生成する制御信号ＣＣに応じてスイッチ機構２２２がオン状態のとき、電源ＩＣ２１１から所定周期で交互に出力される第１電位または第２電位をコモン線１３０に供給する。
【００４７】
図２は、コモン反転駆動方式を採用した正極性書込時の電気光学装置１Ａのタイミングチャートである。図３は、コモン反転駆動方式を採用した負極性書込時の電気光学装置１Ａのタイミングチャートである。図２および図３は、同じ階調で書き込む場合を示す。また、図２、３中、ＶＣＯＭは共通電極１５６の電位であり、ＳＯＵＲＣＥはデータ線１２０の電位であり、ＧＡＴＥは走査線１１０の電位であり、ＰＩＸは画素電極１５５の電位である。
【００４８】
正極性書込では、図２に示すように、まず、コモン線駆動回路１０３Ａにより共通電極１５６の電位ＶＣＯＭを第１電位ＶＣＬにするとともに、走査線駆動回路１０１から走査線１１０の電位ＧＡＴＥが電位ＶＧＨとなる制御信号を供給して、ＴＦＴ１５１をオン状態にする。データ線１２０の電位ＳＯＵＲＣＥは、後述する等化回路であるイコライザ機能回路２０１によるデータ線１２０とコモン線１３０との接続により、共通電極１５６の電位ＶＣＯＭと略同電位である。
【００４９】
次に、時刻ｔ１において、データ線駆動回路１０２により画像信号を供給して、データ線１２０の電位ＳＯＵＲＣＥを電位ＶＣＬから電位ＶＰ５に持ち上げ、ＴＦＴ１５１を介して、画素電極１５５および蓄積容量１５３に書き込む。
【００５０】
次に、時刻ｔ２において、走査線駆動回路１０１によりＴＦＴ１５１をオフ状態にする。これにより、共通電極１５６の第１電位ＶＣＬと画素電極１５５に書き込んだ電位ＶＰ５との電位差が液晶に印加されて、蓄積容量１５３により保持される。
【００５１】
次に、時刻ｔ３において、コモン線駆動回路１０３Ａにより共通電極１５６の電位ＶＣＯＭを第１電位ＶＣＬから第２電位ＶＣＨまで持ち上げようとする。すると、画素電極１５５の電位ＰＩＸは、共通電極１５６の電位ＶＣＯＭとの電位差はそのままで、共通電極１５６とともに電位ＶＰ２まで持ち上がろうとする。このとき、データ線１２０は、ＴＦＴ１５１によって画素電極１５５と切断されているが、コモン線１３０と容量結合を生じるため、データ線１２０の電位ＳＯＵＲＣＥは、画素電極１５５の電位ＰＩＸと同じ電位ＶＰ２まで持ち上がろうとする。
【００５２】
そこで、時刻ｔ３において、制御信号ＣＣ、ＣＰを電位ＶＣＰＬから電位ＶＣＰＨにする。すると、スイッチ機構２２２はオフ状態になり、イコライザ機能回路２０１はデータ線１２０およびコモン線１３０を接続する。すると、駆動信号供給回路２１からの駆動電圧の供給なしに、データ線１２０と共通電極１５６との間でコモン線１３０を介して電荷の移動が生じる。よって、データ線１２０の電位ＳＯＵＲＣＥは、画素電極１５５の電位ＰＩＸではなく共通電極１５６の電位ＶＣＯＭと略同電位になろうとする。
【００５３】
次に、時刻ｔ４において、制御信号ＣＣ、ＣＰを電位ＶＣＰＨから電位ＶＣＰＬにする。すると、スイッチ機構２２２はオン状態になり、イコライザ機能回路２０１はデータ線１２０およびコモン線１３０を切断する。よって、データ線１２０は、ＴＦＴ１５１によって画素電極１５５と切断されているが、コモン線１３０と容量結合を生じるため、データ線１２０の電位ＳＯＵＲＣＥは、共通電極１５６の電位ＶＣＯＭとともに第２電位ＶＣＨに持ち上がろうとする。
【００５４】
このように、制御信号ＣＣ、ＣＰを一時的に電位ＶＣＰＨにすることで、データ線１２０の電位ＳＯＵＲＣＥは、共通電極１５６の電位ＶＣＯＭと略同電位になる。次に、データ線１２０はコモン線１３０と容量結合を生じるため、制御信号ＣＣ、ＣＰを電位ＶＣＰＬにすることで、データ線１２０の電位ＳＯＵＲＣＥは、共通電極１５６の電位ＶＣＯＭとともに第２電位ＶＣＨと略同電位まで持ち上がる。
【００５５】
次に、負極性書込では、図３に示すように、まず、コモン線駆動回路１０３Ａにより共通電極１５６の電位ＶＣＯＭを第２電位ＶＣＨにするとともに、走査線駆動回路１０１から走査線１１０の電位ＧＡＴＥが電位ＶＧＨとなる制御信号を供給して、ＴＦＴ１５１をオン状態にする。データ線１２０の電位ＳＯＵＲＣＥは、前述したイコライザ機能回路２０１によるデータ線１２０とコモン線１３０との接続により、共通電極１５６の電位ＶＣＯＭと略同電位である。
【００５６】
次に、時刻ｔ５において、データ線駆動回路１０２により画像信号を供給して、データ線１２０の電位ＳＯＵＲＣＥを電位ＶＣＨから電位ＶＰ６に持ち下げ、ＴＦＴ１５１を介して、画素電極１５５および蓄積容量１５３に書き込む。
【００５７】
次に、時刻ｔ６において、走査線駆動回路１０１によりＴＦＴ１５１をオフ状態にする。これにより、共通電極１５６の第２電位ＶＣＨと画素電極１５５に書き込んだ電位ＶＰ６との電位差が液晶に印加されて、蓄積容量１５３により保持される。
【００５８】
次に、時刻ｔ７において、コモン線駆動回路１０３Ａにより共通電極１５６の電位ＶＣＯＭを第２電位ＶＣＨから第１電位ＶＣＬまで持ち下げようとする。すると、画素電極１５５の電位ＰＩＸは、共通電極１５６の電位ＶＣＯＭとの電位差はそのままで、共通電極１５６とともに電位ＶＰ１に持ち下がろうとする。このとき、データ線１２０は、ＴＦＴ１５１によって画素電極１５５と切断されているが、コモン線１３０と容量結合を生じるため、データ線１２０の電位ＳＯＵＲＣＥは、画素電極１５５の電位ＰＩＸと同じ電位ＶＰ１まで持ち下がろうとする。
【００５９】
そこで、時刻ｔ７において、制御信号ＣＣ、ＣＰを電位ＶＣＰＬから電位ＶＣＰＨにする。すると、スイッチ機構２２２はオフ状態になり、イコライザ機能回路２０１はデータ線１２０およびコモン線１３０を接続する。すると、駆動信号供給回路２１からの駆動電圧の供給なしに、データ線１２０と共通電極１５６との間でコモン線１３０を介して電荷の移動が生じる。よって、データ線１２０の電位ＳＯＵＲＣＥは、画素電極１５５の電位ＰＩＸではなく共通電極１５６の電位ＶＣＯＭと略同電位になろうとする。
【００６０】
次に、時刻ｔ８において、制御信号ＣＣ、ＣＰを電位ＶＣＰＨから電位ＶＣＰＬにする。すると、スイッチ機構２２２はオン状態になり、イコライザ機能回路２０１はデータ線１２０およびコモン線１３０を切断する。よって、データ線１２０は、ＴＦＴ１５１によって画素電極１５５と切断されているが、コモン線１３０と容量結合を生じるため、データ線１２０の電位ＳＯＵＲＣＥは、共通電極１５６の電位ＶＣＯＭとともに第１電位ＶＣＬに持ち下がろうとする。
【００６１】
このように、制御信号ＣＣ、ＣＰを一時的に電位ＶＣＰＨにすることで、データ線１２０の電位ＳＯＵＲＣＥは、共通電極１５６の電位ＶＣＯＭと略同電位になる。次に、データ線１２０はコモン線１３０と容量結合を生じるため、制御信号ＣＣ、ＣＰを電位ＶＣＰＬにすることで、データ線１２０の電位ＳＯＵＲＣＥは、共通電極１５６の電位ＶＣＯＭとともに第１電位ＶＣＬと略同電位まで持ち上がる。
【００６２】
本実施形態によれば、以下のような効果がある。
（１）スイッチ機構２２２を一時的にオフ状態にした際に、駆動信号供給回路２１からの駆動電圧の供給なしに、データ線１２０と共通電極１５６との間で電荷の移動が生じ、この電荷を利用してデータ線１２０や共通電極１５６の電位を変化させることができるから、消費電力を低減できる。
【００６３】
（２）データ線１２０は、次の画像信号の書き込みが有利な方向に電位が変化し、共通電極１５６も、次の反転動作に有利な方向に電位が変化する。よって、画素電極１５５への画像信号の書き込み時間や共通電極１５６の反転にかかる時間を短縮できる。
【００６４】
（３）データ線１２０は、画素電極１５５ではなく共通電極１５６と略同電位になるので、正極性書込を行った場合には、画素電極１５５ほど高い電位まで持ち上がらない。一方、負極性書込を行った場合には、画素電極１５５ほど低い電位まで持ち下がらない。したがって、データ線駆動回路１０２の耐圧能力を超えた電圧が作用するのを防止できる。
【００６５】
＜２．第２実施形態＞
図４は、本発明の第２実施形態に係る電気光学装置１Ｂの平面図である。電気光学装置１Ｂは、データ線駆動回路１０２Ａの構成が、図１の電気光学装置１Ａと異なる。
【００６６】
データ線駆動回路１０２Ａは、始動信号が入力されると、この始動信号をクロックに同期して転送することで順次サンプリング信号を出力するシフトレジスタ３３１と、このシフトレジスタ３３１からのサンプリング信号に応じて、各データ線１２０を順次選択するアナログスイッチ３３２と、を備える。
【００６７】
上述のデータ線駆動回路１０２Ａによれば、始動信号をシフトレジスタ３３１に入力すると、シフトレジスタ３３１はサンプリング信号を出力し、アナログスイッチ３３２は、このシフトレジスタ３３１からのサンプリング信号に応じて、各データ線１２０を順次選択する。そして、アナログスイッチ３３２で選択したデータ線１２０に画像信号を供給することで、点順次駆動を行う。
【００６８】
本実施形態に係る電気光学装置１Ｂのタイミングチャートは、電気光学装置１Ａと同様である。なお、図２中の時刻ｔ３から時刻ｔ４までの動作、および、図３中の時刻ｔ７から時刻ｔ８までの動作は、電気光学装置１Ｂのブランキング期間に行われる。
【００６９】
本実施形態によれば、上述した（１）〜（３）に加え、以下のような効果がある。
（４）シフトレジスタによる点順次駆動では、データ線駆動回路１０２Ａが簡易な構成で足りるため、容易に製造できるとともに、回路規模を抑制できる。
【００７０】
（５）従来の点順次駆動を行う電気光学装置では、画素密度が増加するにしたがって、画素電極に画像信号を書き込む時間を確保することが困難であった。ところが、上述の等化回路であるイコライザ機能回路２０１を備えた点順次駆動を行う電気光学装置１Ｂでは、画素密度が増加しても、データ線１２０は、次の画像信号の書き込みが有利な方向に電位が変化するから、画素電極１５５に画像信号を書き込む時間を確保できる。
【００７１】
＜３．第３実施形態＞
図５は、本発明の第３実施形態に係る電気光学装置１Ｃの平面図である。電気光学装置１Ｃは、データ線駆動回路１０２Ｂの構成が、図４の電気光学装置１Ｂと異なる。
【００７２】
データ線駆動回路１０２Ｂは、始動信号が入力されると、この始動信号をクロックに同期して転送することで順次サンプリング信号を出力するシフトレジスタ３３１と、供給されたデジタル映像信号をアナログ画像信号に変換するＤ／Ａ変換回路３３３と、を含むデジタル線順次回路を備える。
【００７３】
上述のデータ線駆動回路１０２Ｂによれば、始動信号をシフトレジスタ３３１に入力すると、シフトレジスタ３３１はサンプリング信号を出力し、Ｄ／Ａ変換回路３３３は、このシフトレジスタ３３１からのサンプリング信号に応じて、デジタル映像信号をアナログ画像信号に変換する。そして、各データ線１２０にアナログ画像信号を供給することで、デジタル線順次駆動を行う。
【００７４】
本実施形態に係る電気光学装置１Ｃのタイミングチャートは、電気光学装置１Ａと同様である。なお、図２中の時刻ｔ３から時刻ｔ４までの動作、および、図３中の時刻ｔ７から時刻ｔ８までの動作は、電気光学装置１Ｃのブランキング期間に行われる。
【００７５】
本実施形態によれば、上述した（１）〜（３）に加え、以下のような効果がある。
（６）デジタル線順次駆動ではデータ線駆動回路１０２Ｂにデジタル映像信号を供給できる。このため、データ線駆動回路１０２Ｂにアナログ画像信号を供給する場合と比べて、伝送経路でのノイズの耐性を高めることができる。
【００７６】
＜４．第４実施形態＞
図６は、本発明の第４実施形態に係る電気光学装置１Ｄの平面図である。電気光学装置１Ｄは、データ線駆動回路１０２Ｃの構成が、図５の電気光学装置１Ｃと異なる。
【００７７】
データ線駆動回路１０２Ｃは、制御信号ＳＥＬが入力されると、この制御信号ＳＥＬに応じて、供給された複数の画像信号が混合したアナログ画像信号ＳＥＧを元に複数の画像信号を出力するデマルチプレクサ回路４４１を備える。
【００７８】
図７は、電気光学装置１Ｅの回路ブロック図である。電気光学装置１Ｅは、図６の電気光学装置１Ｄが有する、等化回路であるイコライザ機能回路２０１と、デマルチプレクサ回路４４１と、スイッチ機構２２２と、の１つの実施例を示す。
【００７９】
データ線駆動回路１０２Ｄは、ｎ個のデマルチプレクサ単位回路Ａ１〜Ａｎで構成される。ここで、ｎは２以上の自然数である。
【００８０】
デマルチプレクサ単位回路Ａ１〜Ａｎは、それぞれ、第１、第２、第３のトランスファゲート４６１、４６２、４６３を有する。具体的には、デマルチプレクサ単位回路Ａｍ（例えば、ｍはｎ以下の自然数）において、第１〜第３のトランスファゲート４６１〜４６３の一方の端子は、全て入力端子ＳＩＮｍに接続され、他方の端子は、それぞれ、出力端子ＳＯＵＴｍ１〜ＳＯＵＴｍ３に接続されている。
出力端子ＳＯＵＴｍ１〜ＳＯＵＴｍ３は、それぞれ、Ｒ（赤）、Ｇ（緑）、Ｂ（青）の各色のデータ線１２０に接続される。すなわち、各デマルチプレクサ単位回路Ａｍは、Ｒ（赤）、Ｇ（緑）、Ｂ（青）の各サブ画素に画像信号を供給する。
入力端子ＳＩＮｍには、Ｒ（赤）、Ｇ（緑）、Ｂ（青）の各色の画像信号が混合したアナログ画像信号ＳＥＧｍが入力される。
【００８１】
デマルチプレクサ単位回路Ａ１〜Ａｎの第１のトランスファゲート４６１の制御端子には、Ｒ制御信号ＲＳＥＬと、このＲ制御信号ＲＳＥＬを反転した反転Ｒ制御信号ＲＳＥＬＢと、が供給される。
Ｒ制御信号ＲＳＥＬおよび反転Ｒ制御信号ＲＳＥＬＢをアクティブにすると、トランスファゲート４６１がオン状態になり、入力端子ＳＩＮｍから入力されたアナログ画像信号からＲ（赤）の画像信号をＲ（赤）のデータ線１２０に供給する。
【００８２】
デマルチプレクサ単位回路Ａ１〜Ａｎの第２のトランスファゲート４６２の制御端子には、Ｇ制御信号ＧＳＥＬと、このＧ制御信号ＧＳＥＬを反転した反転Ｇ制御信号ＧＳＥＬＢと、が供給される。
Ｇ制御信号ＧＳＥＬおよび反転Ｇ制御信号ＧＳＥＬＢをアクティブにすると、トランスファゲート４６２がオン状態になり、入力端子ＳＩＮｍから入力されたアナログ画像信号からＧ（緑）の画像信号をＧ（緑）のデータ線１２０に供給する。
【００８３】
デマルチプレクサ単位回路Ａ１〜Ａｎの第３のトランスファゲート４６３の制御端子には、Ｂ制御信号ＢＳＥＬと、このＢ制御信号ＢＳＥＬを反転した反転Ｂ制御信号ＢＳＥＬＢと、が供給される。
Ｂ制御信号ＢＳＥＬおよび反転Ｂ制御信号ＢＳＥＬＢをアクティブにすると、トランスファゲート４６３がオン状態になり、入力端子ＳＩＮｍから入力されたアナログ画像信号からＢ（青）の画像信号Ｂ（青）のデータ線１２０に供給する。
【００８４】
以上のデマルチプレクサ回路４４１Ａは、以下のように動作する。
デマルチプレクサ単位回路Ａ１〜Ａｎの入力端子ＳＩＮ１〜ＳＩＮｎにアナログ画像信号ＳＥＧ１〜ＳＥＧｎを供給するとともに、Ｒ制御信号ＲＳＥＬおよび反転Ｒ制御信号ＲＳＥＬＢ、Ｇ制御信号ＧＳＥＬおよび反転Ｇ制御信号ＧＳＥＬＢ、ならびに、Ｂ制御信号ＢＳＥＬおよび反転Ｂ制御信号ＢＳＥＬＢのうちいずれかをアクティブにする。これにより、Ｒ（赤）、Ｇ（緑）、Ｂ（青）の各色のデータ線１２０の中から特定のデータ線１２０を選択し、この選択したデータ線１２０に画像信号を供給する。
よって、Ｒ（赤）、Ｇ（緑）、Ｂ（青）の各色の画像信号が混合したアナログ画像信号から、Ｒ（赤）、Ｇ（緑）、Ｂ（青）の各色の画像信号を取り出すことができる。
【００８５】
本実施形態に係る電気光学装置１Ｅのタイミングチャートは、電気光学装置１Ａと同様である。なお、図２中の時刻ｔ３から時刻ｔ４までの動作、および、図３中の時刻ｔ７から時刻ｔ８までの動作は、電気光学装置１Ｅのデマルチプレクサ回路４４１Ａから各データ線１２０に画像信号が供給されるたびに行われる。
【００８６】
本実施形態によれば、上述した（１）〜（３）に加え、以下のような効果がある。
（７）上述のデマルチプレクサ回路４４１Ａでは、複数の画像信号を混合して供給できるため、伝送経路の数を抑えることができ、回路規模を抑制できるとともに、消費電力を低減できる。
【００８７】
＜５．変形例＞
なお、本発明は上述の実施形態に限定されるものではなく、本発明の目的を達成できる範囲での変形、改良等は本発明に含まれるものである。
例えば、コモン線およびコモン線駆動回路を断続する駆動信号供給スイッチは、コモン線に駆動信号を供給するコモン線駆動回路の外部に設けてもよい。
また、コモン線駆動回路は、素子基板に設けてもよい。
また、対向電極および蓄積容量には、同じ駆動信号を供給しているが、それぞれ別の駆動信号を供給してもよい。
また、イコライザ機能回路に供給される制御信号ＣＰと、上述の駆動信号供給スイッチに供給される制御信号ＣＣとは、動作タイミングの異なる別系統の信号であってもよい。
【００８８】
＜６．電気光学装置＞
図８は、上述した実施形態および変形例に係る電気光学装置１の構成を示す斜視図であり、図９は、図８におけるＺ−Ｚ´断面図である。
電気光学装置１は、筐体４００（図９中破線で示す）に収納されている。電気光学装置１は、画素電極４０６等が形成された素子基板４５１と、この素子基板４５１に対向配置されかつ共通電極１５６等が形成された対向基板４５２と、素子基板４５１および対向基板４５２の間に設けられた電気光学物質としての液晶４５５と、素子基板４５１の下側（対向基板４５２とは反対側）に設けられて液晶４５５に光を照射する光源としてのバックライト４５０と、を有する。素子基板４５１は、ガラスや半導体等で形成され、この素子基板４５１上には、ＴＦＴ（Thin Film Transistor：薄膜トランジスタ）を用いて各種の回路等が形成される。また、対向基板４５２は、ガラス等の透明性の材料で形成される。
【００８９】
対向基板４５２の外周部には、素子基板４５１および対向基板４５２の間隙を封止するシール部材４５４が設けられている。このシール部材４５４は、素子基板４５１および対向基板４５２とともに、液晶４５５が封入される空間を形成する。シール部材４５４には、素子基板４５１および対向基板４５２の間隔を保持するため、スペーサ４５３が混入されている。なお、シール部材４５４には、液晶４５５を封入するための開口部が形成されており、この開口部は、液晶４５５の封入後に封止材４５６で封止されている。
【００９０】
ここで、素子基板４５１の対向基板４５２側の表面であって、シール部材４５４の一辺の外側には、Ｙ方向に延在するデータ線を駆動するデータ線駆動回路４０１が形成されている。さらに、この一辺には複数の接続電極４５７が形成されて、この接続電極４５７を通して各種信号が入力される。また、シール部材４５４の前記一辺の両側の辺には、Ｘ方向に延在する後述する走査線を駆動する走査線駆動回路４０２が形成されている。
【００９１】
＜７．電子機器＞
次に、上述した実施形態に係る電気光学装置１を適用した電子機器について説明する。図１０に、電気光学装置１を適用した携帯電話機の構成を示す。携帯電話機３０００は、複数の操作ボタン３００１およびスクロールボタン３００２、ならびに表示ユニットとしての電気光学装置１を有する。スクロールボタン３００２を操作することによって、電気光学装置１に表示される画面がスクロールされる。
【図面の簡単な説明】
【００９２】
【図１】本発明の第１実施形態に係る電気光学装置の平面図である。
【図２】前記実施形態に係るコモン反転駆動方式を採用した正極性書込時の電気光学装置のタイミングチャートである。
【図３】前記実施形態に係るコモン反転駆動方式を採用した負極性書込時の電気光学装置のタイミングチャートである。
【図４】本発明の第２実施形態に係る電気光学装置の平面図である。
【図５】本発明の第３実施形態に係る電気光学装置の平面図である。
【図６】本発明の第４実施形態に係る電気光学装置の平面図である。
【図７】前記実施形態に係る電気光学装置の回路ブロック図である。
【図８】上述した実施形態および変形例に係る電気光学装置１の構成を示す斜視図である。
【図９】図８におけるＺ−Ｚ´断面図である。
【図１０】上述した電気光学装置を適用した携帯電話機の構成を示す斜視図である。
【図１１】本発明の従来例に係る電気光学装置の平面図である。
【図１２】従来例に係る電気光学装置の正極性書込時におけるタイミングチャートである。
【図１３】従来例に係る電気光学装置の負極性書込時におけるタイミングチャートである。
【符号の説明】
【００９３】
１、１Ａ、１Ｂ、１Ｃ、１Ｄ、１Ｅ…電気光学装置、２１…駆動信号供給回路、２２…駆動信号供給スイッチ、１０１、４０２…走査線駆動回路、１０２、１０２Ａ、１０２Ｂ、１０２Ｃ、１０２Ｄ、４０１…データ線駆動回路、１０３、１０３Ａ…コモン線駆動回路、１１０…走査線、１２０…データ線、１３０…コモン線、１５０…画素回路、１５１…ＴＦＴ、１５３…蓄積容量、１５５、４０６…画素回路、１５６…共通電極、２０１、２０１Ａ…イコライザ機能回路、２２２…スイッチ機構、３３１…シフトレジスタ、３３２…アナログスイッチ、３３３…Ｄ／Ａ変換回路、４４１、４４１Ａ…デマルチプレクサ回路。
【図１】
0004400588.tif 000002
【図２】
0004400588.tif 000003
【図３】
0004400588.tif 000004
【図４】
0004400588.tif 000005
【図５】
0004400588.tif 000006
【図６】
0004400588.tif 000007
【図７】
0004400588.tif 000008
【図８】
0004400588.tif 000009
【図９】
0004400588.tif 000010
【図１０】
0004400588.tif 000011
【図１１】
0004400588.tif 000012
【図１２】
0004400588.tif 000013
【図１３】
0004400588.tif 000014